(57)【要約】【課題】加熱コイルにより内鍋を誘導加熱するようにした炊飯器において、コンパクトで安価に防磁構成を実現し、製品の省スペース化、コンパクト化を達成する。【解決手段】誘導加熱を制御する制御基板３０と、誘導加熱時に第１および第２の加熱コイル１３・１４からの漏れ磁界が外部に漏れるのを防ぐ非磁性体金属板１６とを備え、非磁性体金属板１６は、第１および第２の加熱コイル１３・１４に対面するように炊飯器本体１１の底面部に設置し、端面を第２の加熱コイル１４に沿う形に略全周にわたって折曲げ部１６ａを有し、ヒートシンク３４に対面する折曲げ部１６ａには切り欠き１６ｄを設けた炊飯器とすることにより、第１および第２の加熱コイル１３・１４より発生する電磁界をシールドすることで防磁することができ、コンパクトで安価に防磁構成を実現することでき、製品の省スペース化、コンパクトを達成することができる。【選択図】図１
2013236858.tif 000002
【特許請求の範囲】
【請求項１】
上面が開口した炊飯器本体と、
前記炊飯器本体内に着脱自在に収納される内鍋と、
前記内鍋を収納する保護枠と、
前記保護枠の底部に設置し前記内鍋の底面に沿う第１の加熱コイルおよび前記内鍋の側面下部に沿う第２の加熱コイルと、
前記第１および第２の加熱コイルの誘導加熱制御をする制御手段を搭載する制御基板と、
前記制御基板に設けられたヒートシンクと、
前記誘導加熱時に前記第１および第２の加熱コイルからの漏れ磁界が外部に漏れるのを防ぐ非磁性体金属板とを備え、
前記非磁性体金属板は、前記第１および第２の加熱コイルに対面するように前記炊飯器本体の底面部に設置し、その端面を前記第２の加熱コイルに沿う形にほぼ全周にわたって折曲げ部を有し、前記ヒートシンクに対向する側の前記折曲げ部には切り欠きを設けた炊飯器。
【請求項２】
前記非磁性体金属板の折曲げ部の切り欠きは、前記制御基板の幅よりも広くした請求項１に記載の炊飯器。
【発明の詳細な説明】
【技術分野】
【０００１】
本発明は、加熱コイルにより内鍋を誘導加熱する炊飯器に関するものである。
【背景技術】
【０００２】
近年、炊飯器において、設置スペースの関係から省スペース化、コンパクト化の要望が高まってきている。
【０００３】
従来、この種の炊飯器は、図３，４に示すように構成していた。（例えば、特許文献１参照）以下、その構成について説明する。
【０００４】
図４に示すように、内鍋１は炊飯器本体２内部の保護枠３の底部に収納されている。加熱コイル４は内鍋１の底部に沿うような形で設け、加熱コイル５は内鍋１の側面下部に沿うような形で設けており、加熱コイル４、５により内鍋１を誘導加熱する。
【０００５】
誘導加熱時に、加熱コイル４、５からの漏れ磁界を炊飯器本体２の外部に漏れないように、加熱コイル４，５に対面するように、その端面を加熱コイル５に沿う形に全周にわたって折曲げ部６ａを有したリング状に形成されたアルミニウム製の防磁金属板６を炊飯器本体２の底面部に設置している。
【先行技術文献】
【特許文献】
【０００６】
【特許文献１】特開２０１０−２４００５１号公報
【発明の概要】
【発明が解決しようとする課題】
【０００７】
しかしながら、このような従来の構成においては、制御部７を設置する際には、制御部７に搭載されている部品と防磁金属板６との干渉を避ける為に、制御部７と防磁金属板６を離して設置する必要があるため、炊飯器本体２を小型化することがむずかしくなるという問題を有していた。
【０００８】
本発明は、上記従来の課題を解決するもので、コンパクトで安価に防磁構成を実現し、製品の省スペース化、コンパクト化を達成することを目的としている。
【課題を解決するための手段】
【０００９】
前記従来の課題を解決するために、本発明の炊飯器は、上面が開口した炊飯器本体と、前記炊飯器本体内に着脱自在に収納される内鍋と、前記内鍋を収納する保護枠と、前記保護枠の底部に設置し前記内鍋の底面に沿う第１の加熱コイルおよび前記内鍋の側面下部に沿う第２の加熱コイルと、前記第１および第２の加熱コイルの誘導加熱制御をする制御手段を搭載する制御基板と、前記制御基板に設けられたヒートシンクと、前記誘導加熱時に前記第１および第２の加熱コイルからの漏れ磁界が外部に漏れるのを防ぐ非磁性体金属板とを備え、前記非磁性体金属板は、前記第１および第２の加熱コイルに対面するように前記炊飯器本体の底面部に設置し、その端面を前記第２の加熱コイルに沿う形にほぼ全周にわたって折曲げ部を有し、前記ヒートシンクに対向する側の前記折曲げ部には切り欠きを設けた炊飯器としたものである。
【００１０】
これにより、第１および第２の加熱コイルより発生する電磁界をシールドする非磁性体金属板と制御基板を近づけることができ、コンパクトで安価に防磁構成を実現することでき、製品の省スペース化、コンパクトを達成することができる。
【発明の効果】
【００１１】
本発明の炊飯器は、コンパクトで安価に防磁構成を実現することでき、製品の省スペース化、コンパクトを達成することができる。
【図面の簡単な説明】
【００１２】
【図１】本発明の実施の形態１における炊飯器の断面図
【図２】同炊飯器の非磁性体金属板の斜視図
【図３】従来の炊飯器の断面図
【図４】同炊飯器の非磁性体金属板の斜視図
【発明を実施するための形態】
【００１３】
第１の発明は、上面が開口した炊飯器本体と、前記炊飯器本体内に着脱自在に収納される内鍋と、前記内鍋を収納する保護枠と、前記保護枠の底部に設置し前記内鍋の底面に沿う第１の加熱コイルおよび前記内鍋の側面下部に沿う第２の加熱コイルと、前記第１および第２の加熱コイルの誘導加熱制御をする制御手段を搭載する制御基板と、前記制御基板に設けられたヒートシンクと、前記誘導加熱時に前記第１および第２の加熱コイルからの漏れ磁界が外部に漏れるのを防ぐ非磁性体金属板とを備え、前記非磁性体金属板は、前記第１および第２の加熱コイルに対面するように前記炊飯器本体の底面部に設置し、その端面を前記第２の加熱コイルに沿う形にほぼ全周にわたって折曲げ部を有し、前記ヒートシンクに対向する側の前記折曲げ部には切り欠きを設けた炊飯器とすることにより、第１および第２の加熱コイルより発生する電磁界をシールドすることで防磁することができ、コンパクトで安価に防磁構成を実現することができ、製品の省スペース化、コンパクトを達成することができる。
【００１４】
第２の発明は、前記非磁性体金属板の折曲げ部の切り欠きは、前記制御手段の幅よりも広くした請求項１に記載の炊飯とすることにより、更なるコンパクト化を図ることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における炊飯器の断面図を示し、図２は、同炊飯器の非磁性体金属板の斜視図を示すものである。
【００１７】
図１、図２において、内鍋１０は炊飯器本体１１内部の保護枠１２に収納されている。第１の加熱コイル１３は内鍋１０の底面に沿うような形で設けており、第２の加熱コイル１４は内鍋１０の側面下部に沿うような形で設けている。これら第１の加熱コイル１３および第２の加熱コイル１４により内鍋１０が誘導加熱される。炊飯器本体１１の底部に内鍋１０の底部の温度を測定する為に底センサー１５を設置している。非磁性体金属板１６は、アルミニウムで形成し、誘導加熱時、第１の加熱コイル１３および第２の加熱コイル１４からの漏れ磁界が炊飯器本体１１の外部に漏れないように、第１の加熱コイル１３および第２の加熱コイル１４に対面するように炊飯器本体１１の底面部に設置している。
【００１８】
この非磁性体金属板１６は、図２に示すように、端面を第２の加熱コイル１４に沿う形で全周にわたって上方に折り曲げて折曲げ部１６ａを形成し、平面状の底部１６ｂの中心部に底センサー１５に当たらないように円状にくり抜いたくり抜き部１６ｃを設けてほぼドーナツ状に形成している。１６ｄは、非磁性体金属板１６の制御基板３０側に対向する箇所であり、折曲げ部１６ａを切り欠いており、その切り欠き幅は制御基板３０の幅よりも広くしている。（折曲げ部１６ａを設けないとしてもよい。）。
【００１９】
上記構成において動作を説明する。インバータより発生された高周波電力により第１の加熱コイル１３及び第２の加熱コイル１４から炊飯器本体１１の底部に発生した電磁界は、非磁性体金属板１６の平面状の底部１６ｂに渦電流を発生させる。その渦電流から発生する電磁界は第１の加熱コイル１３及び第２の加熱コイル１４から発生する電磁界とは逆方向に発生するので、結果的にお互いの電磁界で相殺して、炊飯器本体１１の外部に漏れる電磁界を低減することができる。また、同様にして、炊飯器本体１１の側面部に発生する電磁界は、非磁性体金属板１６のほぼ全周にわたっている折曲げ部１６ａに電磁界によりループ状の渦電流を発生させる。その渦電流から発生する電磁界は第１の加熱コイル１３及び第２の加熱コイル１４から発生する電磁界とは逆方向に発生するので、結果的にお互いの電磁界で相殺して、炊飯器本体１１の側面部から炊飯器本体１１の外部に漏れる電磁界を低減することができる。非磁性体金属板１６の制御基板３０側１６ｄは、折曲げ部を切り欠いている為、第２の加熱コイルから発生する電磁界を十分に防磁できないが、制御基板３０に設けられたアルミ製のヒートシンク３４で防磁される。また、制御基板３０を設けるスペース分、炊飯器本体１１（外郭部）を遠ざけていることになり、外部に漏れる電磁界は低減される。非磁性体金属板１６は制御基板３０側を切り欠いていることにより、制御基板３０に設けられているファンモーター３１などの部品と干渉することはなく、炊飯器本体１１の小型化に貢献できる。
【００２０】
非磁性体金属板１６は、単なる平らな金属板でなく、第２の加熱コイル１４に沿う形で略全周にわたって折り曲げられているが、全周に渡って折り曲げていないことにより、絞りではなく折り曲げで生産することができ、生産性向上につながる。
【００２１】
以上のように、本実施の形態においては、非磁性体金属板１６は、第１の加熱コイル１３及び第２の加熱コイル１４に対面するように炊飯器本体１１の底面部に設置し、端面を第２の加熱コイル１４に沿う形にほぼ全周にわたって折曲げ部１６ａを有しリング状に形成し、制御基板３０部に対面する折曲げ部１６ａには切り欠きを設けて、切り欠きにより十分に防磁できない部分は、制御基板３０に設けられたアルミ製のヒートシンク３４で防磁される。よって、第１の加熱コイル１３及び第２の加熱コイル１４により発生する電磁界をシールドすることで防磁することができ、コンパクトで安価に防磁構成を実現することができ、製品の省スペース化、コンパクト化を達成することができる。
【００２２】
なお、本実施の形態では、非磁性体金属板１６の材料はアルミニウムを使用したが、非磁性体金属であれば他の材料でもよい。
【産業上の利用可能性】
【００２３】
以上のように、本発明にかかる炊飯器は、コンパクトで安価に防磁構成を実現することができ、製品の省スペース化、コンパクト化を達成することができるので、加熱コイルにより内鍋を誘導加熱するようにした炊飯器として有用である。
【符号の説明】
【００２４】
１０    内鍋
１１    炊飯器本体
１２    保護枠
１３    第１の加熱コイル
１４    第２の加熱コイル
１６    非磁性体金属板
１６ａ  折曲げ部
１６ｄ  折曲げ部の切り欠き部
３０    制御基板
３４    ヒートシンク
【図１】
2013236858.tif 000003
【図２】
2013236858.tif 000004
【図３】
2013236858.tif 000005
【図４】
2013236858.tif 000006